(57)【要約】【課題】  視覚の残像現象の原理を用いて、既存の動画の動的な連続映像を再現するために、前記動画素材をそのまま転用可能な小冊子を提供する。【解決手段】  複数のページと、ページの一端において、前記複数のページを固定した固定部とを少なくとも有し、連続するページを順次めくり擬似的に動画を見せる小冊子であって、前記ページは、複数の各ページの中の同一位置に、それぞれ同一の大きさの枠部分が設けられ、前記枠部分の内側には、動画から所定時間ごとに抽出した静止画像が、連続するページごとに時間順に配置する。【選択図】  図１
0003131693.tif 000002
【実用新案登録請求の範囲】
【請求項１】
複数のページと、ページの一端において前記複数のページを固定した固定部とを少なくとも有し、連続するページを順次めくり擬似的に動画を見せるための小冊子であって、
前記ページは、複数の各ページの中の同一位置に、それぞれ同一の大きさの枠部分が設けられ、
前記枠部分の内側には、動画から所定時間ごとに抽出した静止画像が、連続するページごとに時間順に配置されており、
視覚の残像現象の原理を用いて、前記動画の動的な連続映像を再現するために、既存の動画素材をそのまま転用可能なことを特徴とする小冊子。
【請求項２】
前記枠部分の色彩及び模様は、複数の各ページそれぞれにおいて同一であることを特徴とする、請求項１に記載の小冊子。
【請求項３】
前記枠部分の内辺は、縦・横それぞれがテレビ画面またはスクリーンの所定の比率を有することを特徴とする、請求項１または２のいずれかに記載の小冊子。
【請求項４】
前記枠部分の外側には、人間・動物・擬人化された物品のいずれかの静止画を配したことを特徴とする、請求項１〜３のいずれかに記載の小冊子。
【請求項５】
前記ページの形状は、動画で広告する商品の形状を模したものであることを特徴とする、請求項１〜４のいずれかに記載の小冊子。
【請求項６】
少なくとも前記枠部分があらかじめ印刷されると共に、枠部分の内側は無地または空白にされており、静止画を印刷可能にされたことを特徴とする、請求項１〜５のいずれかに記載の小冊子を作成するための半完成品。
【考案の詳細な説明】
【技術分野】
【０００１】
本考案は、擬似的な動画を作る際に、時間と手間を軽減することが可能な小冊子及びその半完成品に関する。
【背景技術】
【０００２】
従来より、視覚の残像現象の原理を利用して、ページをめくることで擬似的に動画を見せるいわゆるパラパラマンガが、動くマンガやその他色々なことに利用されている。
【考案の開示】
【考案が解決しようとする課題】
【０００３】
【特許文献１】実用新案登録第３０５７５６９号公報
【特許文献２】実用新案登録第３１２３１９０号公報
【０００４】
第３０５７５６９号「技術解説文付き連続写真小冊子」においては、ポケットに収まる程度のカード用紙約５０枚を１単位とし、各１枚づつの表面にゴルフ等の高等技術修得者のスイングの始動
から終了までの写真と、それに準じる技術解説文と、技術解説文の理解を深める為の絵図を配したものの左端を固着した、技術解説文付き連続写真小冊子が開示されている。
しかしながら、上記考案においては、この小冊子を作る際に、新たに写真素材を用意して、デザインやレイアウトなどをする必要があった。さらにレイアウトをする際に、画像をスムーズな擬似動画にするために１枚１枚を位置合わせしなければならず、時間と手間、コストがかかるものである。
【０００５】
また、上記位置合わせの問題を解決するものとして、実用新案登録第３１２３１９０号「アニメーション効果を備えた画帳」においては、アニメーション効果を備えた画帳は多数の撓むことが可能な長形シートおよび長形シートに設けられた多数のマーク図柄を備え、各マーク図柄は使用者が絵を描く時の構図、および彩色の参考となるように提供されている。これより、使用者が各シートに絵
を描いた後、素早くシートをめくって閲覧する場合、各シートに描かれた図柄は順番に現れ、即ち視覚の残像現象の原理を利用し、描かれた図柄は動的な連続映像となる画帳が開示されている。
しかしながら、上記考案は、あくまでも動的な連続映像を作るために、１枚１枚新たな絵を作成するためのものにすぎないため、デザインやレイアウトなどをする必要には変わりなく、その際に位置合わせに関しても配慮しなくてはならず、時間と手間がかかるものである。
【０００６】
そこで、上記の様々な課題を解決し、本考案においては、擬似的に動画を見せるための小冊子及びその半完成品を作る際に、そのためだけに１枚１枚画像を作成することや、位置合わせをすることの時間と手間、コストを軽減することを目的とする。
【課題を解決するための手段】
【０００７】
上記課題を解決するため、請求項１に記載の考案においては、
複数のページと、ページの一端において前記複数のページを固定した固定部とを少なくとも有し、
連続するページを順次めくり擬似的に動画を見せるための小冊子であって、
前記ページは、複数の各ページの中の同一位置に、それぞれ同一の大きさの枠部分が設けられ、
前記枠部分の内側には、動画から所定時間ごとに抽出した静止画像が、連続するページごとに時間順に配置されており、
視覚の残像現象の原理を用いて、前記動画の動的な連続映像を再現するために、既存の動画素材をそのまま転用可能な小冊子としたことを特徴とする。
【０００８】
また、上記課題を解決するため、請求項２に記載の考案においては、
前記枠部分の色彩及び模様は、複数の各ページそれぞれにおいて同一であることを特徴とする、請求項１に記載の小冊子であることを特徴としている。
【０００９】
また、上記課題を解決するため、請求項３に記載の考案においては、
前記枠部分の内辺は、縦・横それぞれがテレビ画面またはスクリーンの所定の比率を有することを特徴とする、請求項１または２のいずれかに記載の小冊子であることを特徴としている。
【００１０】
また、上記課題を解決するため、請求項４に記載の考案においては、
前記枠部分の外側には、人間・動物・擬人化された物品のいずれかの静止画を配したことを特徴とする、請求項１〜３のいずれかに記載の小冊子であることを特徴としている。
【００１１】
また、上記課題を解決するため、請求項５に記載の考案においては、
前記ページの形状は、動画で広告する商品の形状を模したものであることを特徴とする、請求項１〜４のいずれかに記載の小冊子であることを特徴としている。
【００１２】
また、上記課題を解決するため、請求項６に記載の考案においては、
少なくとも前記枠部分があらかじめ印刷されると共に、枠部分の内側は無地または空白にされており、静止画を印刷可能にされたことを特徴とする、請求項１〜５のいずれかに記載の小冊子を作成するための半完成品であることを特徴としている。
【考案の効果】
【００１３】
本考案によれば、擬似的な動画を作る際に、新たに１枚１枚画像を作成することや、位置合わせをするための時間と手間、コストを軽減することが可能な小冊子及びその半完成品を提供することができる。
【考案を実施するための最良の形態】
【００１４】
本考案の構造および効果を詳述するため、図面と共に以下より好ましい実施の形態を挙げ、説明する。まず図面について、簡単に説明する。
図１は本考案の小冊子を閉じた状態の一例を示す斜視図である。
図２は本考案の小冊子をめくった状態の一例を示す斜視図である。
図３は本考案の小冊子のページの一例を示す正面図である。
図４は本考案の小冊子のページに配置する静止画像を抽出する一例を示す説明図である。
図５は本考案の小冊子のページの一例を示す正面図である。
図６は本考案の小冊子を閉じた状態の一例を示す斜視図である。
図７は本考案の小冊子の半完成品の一例を示す正面図である。
【００１５】
以下、本考案の実施の形態について図面を参照して説明する。
初めに、図１は、本考案の小冊子を閉じた状態の一例を示す斜視図である。
複数のページ１と、ページ１の一端において、前記複数のページ１を固定した固定部２とを少なくとも有し、連続するページ１を順次めくり擬似的に動画を見せるための小冊子である。
小冊子の形状や大きさには特に限定されるものではなく、たとえばメモ帳程度の大きさであってもよい。
固定部２の固定方法についても特に限定されず、たとえば製本する方法や、各種固定部材で留める方法などを採用することができる。
また、小冊子単体のみで構成されてもよいが、たとえば雑誌の綴じ込み付録のようにしたりしてもよい。
【００１６】
次に、前記ページ１の形状や大きさには特に限定されるものではなく、好ましい代表的な一例としては、正方形や、長方形などがあげられる。
この他にも、動画で広告する商品の形状を模したものでも良い。図６では、広告する商品がカメラである場合の例を示している。
なお、ページ１の材質は紙またはプラスチック材質としてもよい。
【００１７】
次に、図３で示すように、前記ページ１は、複数の各ページ１の中の同一位置に、それぞれ同一の大きさの枠部分３が設けられている。
枠部分３の好ましい代表的な一例としては、正方形や、長方形などがあげられるが、必ずしもこれには限定されず、たとえば曲線が含まれるなどしてもよい。
好ましい代表的な一例としては、枠部分３の色彩及び模様は、複数の各ページそれぞれにおいて同一のものである。あるいは、前記枠部分３は、形・色・印刷方法において同一のものである。
さらに好ましい一例は、前記枠部分３の内辺は、縦・横それぞれがテレビ画面またはスクリーンの所定の比率を有しているものである。このようにすれば、既存の映像素材のサイズ比率のまま静止画像４を作ることが可能になるため、テレビ放送や映画用の映像を、そのまま本考案の小冊子に利用することができる。
【００１８】
次に、図４は、本考案の小冊子のページに配置する静止画像を抽出する一例を示す説明図である。
図４が示すように、前記枠部分３の内側には、動画から所定時間ごとに抽出した静止画像が、連続するページごとに時間順に配置されている。例えば０．３秒につき１枚や５コマごとに１枚といったように抽出していくことになる。ただし、鮮明な画像を選ぶため、多少前後しても良い。
なお、動画は、実写の動画でもよく、アニメーション動画でもよく、その他のものであってもよい。また、アナログの動画、デジタルの動画、いずれであってもよい。
【００１９】
本考案は、上記のように既存動画から所定時間ごとに静止画像を抽出するため、前記動画の動的な連続映像を再現するために、既存の動画素材がそのまま転用可能である。前記転用により、わざわざパラパラマンガ用に静止画像を作る必要がなくなり、１枚１枚の位置合わせをすることもないので、冊子を作る際の時間と手間を軽減することができる。
【００２０】
図５は、本考案の小冊子のページの一例を示す正面図である。
前記枠部分３の外側には、人間・動物・擬人化された物品のいずれかの静止画５を配することもできる。前記静止画５は、擬似動画の全編を通して同じ画像でも良く、または、前記枠内部の静止画４に合わせて動くように構成することもできる。
【００２１】
図７は、本考案の小冊子の半完成品の一例を示す正面図である。
半完成品は、少なくとも前記枠部分３があらかじめ印刷されると共に、枠部分３の内側は無地または空白にされており、静止画が印刷可能である。なお、半完成品は、前記固定部２で固定する前の１枚１枚のページ状のものである。例えば、１０万枚の半完成品を印刷しておき、１００枚単位や２００枚単位などで冊子を作ることができる。
【産業上の利用可能性】
【００２２】
以上詳細に説明したように、本考案によれば、擬似的な動画を作る際に、時間と手間を軽減することが可能な小冊子及びその半完成品を提供することができる。
たとえば、コマーシャルや映画の予告編などの動画から、動画素材をそのまま用いて小冊子とし、販売促進やキャンペーンに利用したり、様々な利用方法に転用することが可能になる。
【図面の簡単な説明】
【００２３】
【図１】本考案の小冊子を閉じた状態の一例を示す斜視図である。
【図２】本考案の小冊子をめくった状態の一例を示す斜視図である。
【図３】本考案の小冊子のページの一例を示す正面図である。
【図４】本考案の小冊子のページに配置する静止画像を抽出する一例を示す説明図である。
【図５】本考案の小冊子のページの一例を示す正面図である。
【図６】本考案の小冊子を閉じた状態の一例を示す斜視図である。
【図７】本考案の小冊子の半完成品の一例を示す正面図である。
【符号の説明】
【００２４】
１  ページ
２  固定部
３  枠部分
４  静止画
５  枠部分外側の静止画
【図１】
0003131693.tif 000003
【図２】
0003131693.tif 000004
【図３】
0003131693.tif 000005
【図４】
0003131693.tif 000006
【図５】
0003131693.tif 000007
【図６】
0003131693.tif 000008
【図７】
0003131693.tif 000009